(57)【要約】【課題】シーンに応じて機器を制御する際に、制御対象の機器に対する制御内容を施設の利用者に把握させることができる機器制御システム、機器制御方法及び制御プログラムを提供する。【解決手段】機器制御システム１０は、入力部１４と、表示制御部１６と、機器制御部１７とを備える。表示制御部１６は、シーン情報が表示部で表示されている状態で利用者の操作により選択されたシーン情報を入力部１４が受け付けると、シーン情報に対応付けられた制御情報に含まれる制御内容を、表示部に表示させる。機器制御部１７は、制御内容が表示部で表示されている状態で入力部１４が実行要求を受け付けると、制御対象の機器を制御内容に基づいて制御する。【選択図】図１
2018026814.tif 000002
【特許請求の範囲】
【請求項１】
施設の利用者の操作結果に関する情報を受け付ける入力部と、
シーン情報が表示部で表示されている状態で前記利用者の操作により選択された前記シーン情報を前記入力部が受け付けると、前記シーン情報に対応付けられた制御情報に含まれる制御内容を、前記表示部に表示させる表示制御部と、
前記制御内容が前記表示部で表示されている状態で前記入力部が前記制御内容の実行を要求する情報である実行要求を受け付けると、前記制御内容によって制御される機器を、前記制御内容に基づいて制御する機器制御部とを備える
ことを特徴とする機器制御システム。
【請求項２】
前記表示制御部は、
前記機器制御部が前記制御内容に基づいて前記機器を制御した後、前記機器に対する制御結果に関する情報を、前記表示部に表示させる
ことを特徴とする請求項１に記載の機器制御システム。
【請求項３】
前記表示制御部は、
前記機器制御部が前記機器を制御する際に前記機器の制御に関するエラーが発生した場合、前記エラーに関する情報を、前記制御結果に関する情報として前記表示部に表示させる
ことを特徴とする請求項２に記載の機器制御システム。
【請求項４】
前記表示制御部は、
前記制御内容を前記表示部に表示させる際に、さらに、前記制御内容によって制御される前記機器における現在の動作状態を前記表示部に表示させる
ことを特徴とする請求項１〜３のいずれか一項に記載の機器制御システム。
【請求項５】
前記表示制御部は、
前記制御内容において、前記現在の動作状態に対して変化を有する内容を、前記現在の状態に対して変化が無い内容とは異なる態様で前記表示部に表示させる
ことを特徴とする請求項４に記載の機器制御システム。
【請求項６】
前記制御情報には、前記制御情報が設定される際のタイミングに関する情報、及び前記制御情報の設定を指示した利用者に関する利用者情報のうち少なくとも一方が設定関連情報として含まれており、
前記表示制御部は、前記制御内容を前記表示部に表示させる際に、さらに、前記制御情報に含められた前記設定関連情報を前記表示部に表示させる
ことを特徴とする請求項１〜５のいずれか一項に記載の機器制御システム。
【請求項７】
前記制御情報の変更が行われると、
前記表示制御部は、
前記制御情報に変更が生じたことを、情報端末装置から前記利用者に通知させる
ことを特徴とする請求項１〜６のいずれか一項に記載の機器制御システム。
【請求項８】
前記表示制御部は、
前記制御情報に変更が生じたことを、前記情報端末装置から前記利用者に通知させる際に、さらに変更内容を前記情報端末装置から前記利用者に通知させる
ことを特徴とする請求項７に記載の機器制御システム。
【請求項９】
前記表示制御部は、前記機器を制御する予定時刻を、表示部にさらに表示させ、
前記機器制御部は、時刻が前記予定時刻になると、前記制御内容に基づいて前記機器を制御する
ことを特徴とする請求項１〜８のいずれか一項に記載の機器制御システム。
【請求項１０】
前記施設に設けられた前記機器は、複数台あり、
前記制御内容には、前記複数の機器のうち２以上の機器に対する制御が含まれている
ことを特徴とする請求項１〜９のいずれか一項に記載の機器制御システム。
【請求項１１】
前記施設に設けられた前記機器の台数に変化が生じた場合、前記制御情報は、前記機器の台数の変化に応じて更新される
ことを特徴とする請求項１〜１０のいずれか一項に記載の機器制御システム。
【請求項１２】
前記制御情報は、前記利用者が変更を許可する場合に更新される
ことを特徴とする請求項１１に記載の機器制御システム。
【請求項１３】
施設の利用者の操作に関する情報を受け付ける入力ステップと、
シーン情報が表示部で表示されている状態で前記利用者の操作により選択された前記シーン情報を前記入力ステップが受け付けると、前記シーン情報に対応付けられた制御情報に含まれる制御内容を、前記表示部に表示させる表示制御ステップと、
前記制御内容が前記表示部で表示されている状態で前記入力ステップが前記制御内容の実行を要求する情報である実行要求を受け付けると、前記制御内容によって制御される機器を、前記制御内容に基づいて制御する機器制御ステップとを含む
ことを特徴とする機器制御方法。
【請求項１４】
コンピュータに、
施設の利用者の操作に関する情報を受け付ける入力ステップと、
シーン情報が表示部で表示されている状態で前記利用者の操作により選択された前記シーン情報を前記入力ステップが受け付けると、前記シーン情報に対応付けられた制御情報に含まれる制御内容を、前記表示部に表示させる表示制御ステップと、
前記制御内容が前記表示部で表示されている状態で前記入力ステップが前記制御内容の実行を要求する情報である実行要求を受け付けると、前記制御内容によって制御される機器を、前記制御内容に基づいて制御する機器制御ステップとを実行させるための制御プログラム。
【発明の詳細な説明】
【技術分野】
【０００１】
本発明は、機器制御システム、機器制御方法及び制御プログラムに関し、より詳細には、シーンに応じて施設に設けられた機器を制御する機器制御システム、機器制御方法及び制御プログラムに関する。
【背景技術】
【０００２】
従来、施設に設けられた機器を施設外から制御するシステム（機器制御システム）が開示されている（例えば、特許文献１参照）。この機器制御システムにより、外出、帰宅等、施設の住人の行動に応じて機器を制御することができる。
【０００３】
従来の機器制御システムでは、制御対象となる機器とその制御内容とを予め行動（シーン）に対応付けて記憶しておくことで、行動に応じた機器の制御が可能となる。
【先行技術文献】
【特許文献】
【０００４】
【特許文献１】特開２００９−１１８５４０号公報
【発明の概要】
【発明が解決しようとする課題】
【０００５】
しかしながら、制御内容を登録してから初めて実行するまでに長時間経過している場合、制御対象の機器が多い場合等において、施設の住人（利用者）は、機器が制御される時点で制御内容を把握できていない可能性がある。
【０００６】
本発明は上記事由に鑑みてなされており、シーンに応じて機器を制御する際に、制御対象の機器に対する制御内容を施設の利用者に把握させることができる機器制御システム、機器制御方法及び制御プログラムを提供することを目的とする。
【課題を解決するための手段】
【０００７】
本発明の一態様に係る機器制御システムは、入力部と、表示制御部と、機器制御部とを備える。前記入力部は、施設の利用者の操作結果に関する情報を受け付ける。前記表示制御部は、シーン情報が表示部で表示されている状態で前記利用者の操作により選択された前記シーン情報を前記入力部が受け付けると、前記シーン情報に対応付けられた制御情報に含まれる制御内容を、前記表示部に表示させる。前記機器制御部は、前記制御内容が前記表示部で表示されている状態で前記入力部が前記制御内容の実行を要求する情報である実行要求を受け付けると、前記制御内容によって制御される機器を、前記制御内容に基づいて制御する。
【０００８】
また、本発明の一態様に係る機器制御方法は、入力ステップと、表示制御ステップと、機器制御ステップとを含む。前記入力ステップは、施設の利用者の操作に関する情報を受け付ける。前記表示制御ステップは、シーン情報が表示部で表示されている状態で前記利用者の操作により選択された前記シーン情報を前記入力ステップが受け付けると、前記シーン情報に対応付けられた制御情報に含まれる制御内容を、前記表示部に表示させる。前記機器制御ステップは、前記制御内容が前記表示部で表示されている状態で前記入力ステップが前記制御内容の実行を要求する情報である実行要求を受け付けると、前記制御内容によって制御される機器を、前記制御内容に基づいて制御する。
【０００９】
また、本発明の一態様に係る制御プログラムは、コンピュータに、入力ステップと、表示制御ステップと、機器制御ステップとを実行させるためのプログラムである。前記入力ステップは、施設の利用者の操作に関する情報を受け付ける。前記表示制御ステップは、シーン情報が表示部で表示されている状態で前記利用者の操作により選択された前記シーン情報を前記入力ステップが受け付けると、前記シーン情報に対応付けられた制御情報に含まれる制御内容を、前記表示部に表示させる。前記機器制御ステップは、前記制御内容が前記表示部で表示されている状態で前記入力ステップが前記制御内容の実行を要求する情報である実行要求を受け付けると、前記制御内容によって制御される機器を、前記制御内容に基づいて制御する。
【発明の効果】
【００１０】
この発明によると、シーンに応じて機器を制御する際に、制御対象の機器に対する制御内容を施設の利用者に把握させることができる。
【図面の簡単な説明】
【００１１】
【図１】図１は、本発明の一実施形態に係る機器制御システム（サーバ装置）の構成を示すブロック図である。
【図２】図２は、同上の機器制御システムを含む全体構成を示すシステム構成図である。
【図３】図３は、本発明の一実施形態に係る表示システム（情報端末装置）の構成を示すブロック図である。
【図４】図４は、本発明の一実施形態に係るコントローラの構成を示すブロック図である。
【図５】図５は、本発明の一実施形態に係る機器制御システムを含むシステム全体の基本的な動作を示すシーケンス図である。
【図６】図６は、本発明の一実施形態に係る設定画面の一例を示す図である。
【図７】図７は、本発明の一実施形態に係る機器設定画面の一例を示す図である。
【図８】図８は、本発明の一実施形態に係る制御設定画面の一例を示す図である。
【図９】図９Ａは本発明の一実施形態に係るシーン一覧画面の一例を示す図であり、図９Ｂは本発明の一実施形態に係る確認画面の一例を示す図である。
【図１０】図１０Ａ〜１０Ｃは、本発明の一実施形態に係る機器制御システムによる機器の制御が失敗した場合の結果画面の一例を示す図である。
【図１１】図１１は、本発明の一実施形態に係る情報端末装置で制御情報が記憶された後、他の情報端末装置で制御情報の変更が行われる場合のシステム全体の動作を示すシーケンス図である。
【図１２】図１２Ａは、本発明の一実施形態に係る変更確認画面の一例を示す図である。図１２Ｂは、本発明の一実施形態に係る問い合わせ画面の一例を示す図である。
【図１３】図１３は、本発明の一実施形態の変形例１に係る機器制御システムを含むシステム全体の動作を示すシーケンス図である。
【図１４】図１４は、本発明の一実施形態の変形例２に係る機器制御システムを含むシステム全体の動作を示すシーケンス図である。
【図１５】図１５は、本発明の一実施形態の変形例３に係る機器制御システムを含むシステム全体の動作を示すシーケンス図である。
【発明を実施するための形態】
【００１２】
以下に説明する実施形態及び変形例は、本発明の一例に過ぎず、本発明は、実施形態及び変形例に限定されることなく、この実施形態及び変形例以外であっても、本発明に係る技術的思想を逸脱しない範囲であれば、設計等に応じて種々の変更が可能である。
【００１３】
（実施形態）
（１）全体概要
本実施形態では、需要家施設（facility）に設けられた複数の機器のうち１つ以上の機器を、シーン（例えば、需要家施設の利用者の行動）に応じて制御する機能を、基本的な機能として有する機器制御システムについて説明する。本実施形態においては、機器制御システム１０は、図１、図２に示すようにサーバ装置１にて構成されている。ここでいう「需要家施設」は、電力の需要家の施設を意味しており、電力会社等の電気事業者から電力の供給を受ける施設だけでなく、太陽光発電設備等の自家発電設備から電力の供給を受ける施設も含む。本実施形態では、戸建住宅を需要家施設７の一例として説明する。
【００１４】
需要家施設７には、図２に示すように、複数の機器４０が設けられている。機器４０は、例えば、エアコン（エアコンディショナー）４１、照明装置４２、空気清浄機４３、シャッター（電動シャッター）４４、サッシ（電動サッシ）４５、給湯機４６、換気扇４７である。なお、機器４０の各々は、ＥＣＨＯＮＥＴ  Ｌｉｔｅ（登録商標）に準拠した通信インタフェースを有しており、コントローラ２と通信可能である。
【００１５】
サーバ装置１は、図２に示すように、コントローラ２にネットワーク４を介して接続される。また、サーバ装置１は、図２に示すように、表示システム３０としての情報端末装置３にネットワーク４を介して接続される。
【００１６】
表示システム３０は、図２に示すように、表示部３１を備える情報端末装置３にて構成されており、機器制御システム１０（サーバ装置１）で出力された情報を表示部３１に表示する。これにより、表示システム３０は、機器制御システム１０で作成された情報（制御対象である１つ以上の機器４０に対する制御内容）を、表示システム３０（情報端末装置３）の所有者（需要家施設７の利用者）である利用者に対して提示することが可能となる。つまり、利用者は、表示システム３０に表示される画面を見ることで。視覚的に、シーンに応じて制御される１つ以上の機器４０に対する制御内容を確認することができる。
【００１７】
なお、表示システム３０によるサービスの提供を受ける利用者（情報端末装置３の所有者）は、住人（需要家施設７の利用者）と同一人である。ここで、「需要家施設７の利用者」は、需要家施設７を使用する人を意味しており、需要家施設７が住宅である本実施形態においては、需要家施設７の住人である。また、需要家施設７の住人が複数人である場合には、「需要家施設７の利用者」は、複数の住人のうちの一人を指すこともあり、二人以上（全員も含む）を指すこともある。以下では「需要家施設７の利用者」を単に「住人」ともいう。
【００１８】
（２）構成
次に、本実施形態に係る機器制御システム１０（サーバ装置１）、表示システム３０（情報端末装置３）及びコントローラ２の構成について説明する。
【００１９】
（２．１）機器制御システム
先ず、機器制御システム１０の構成について説明する。
【００２０】
機器制御システム１０は、上述したようにサーバ装置１にて構成されている。サーバ装置１は、情報端末装置３にネットワーク４を介して接続される。
【００２１】
サーバ装置１は、図１に示すように、記憶部１１と、処理部１２と、通信部１３とを備える。サーバ装置１は、ＣＰＵ（Central Processing Unit）及びメモリを有している。ＣＰＵがメモリに格納されているプログラムを実行することにより、処理部１２の機能を実現する。プログラムは、ここではインターネット等の電気通信回線を通じて、あるいはメモリカード等の記録媒体に記録されて提供されるが、コンピュータのメモリに予め記録されていてもよい。
【００２２】
記憶部１１は、例えばフラッシュメモリ等の電気的に書換可能な不揮発性の半導体メモリで構成される。記憶部１１は、制御対象である１つ以上の機器４０の制御内容を含む制御情報を、シーン情報ごとに記憶している。例えば、シーン情報は、需要家施設７の利用者の行動（外出、帰宅、起床、就寝等）を表す情報である。
【００２３】
処理部１２は、図１に示すように、入力部１４、設定部１５、表示制御部１６及び機器制御部１７を有している。
【００２４】
入力部１４は、情報端末装置３の所有者（需要家施設７の利用者）からの指示を、情報端末装置３を介して受け付ける。
【００２５】
設定部１５は、需要家施設７に設けられた複数の機器４０のうちシーン（住人の行動）に応じて制御される１つ以上の機器４０に対する制御内容を含む制御情報を、当該シーン（行動）を表すシーン情報に対応付けて記憶部１１に記憶する。設定部１５は、記憶部１１に記憶されている制御情報に含まれる制御内容を、入力部１４で受け付けた住人からの指示に応じて変更する。ここで、住人の行動には、住人が現在行っている行動及びこれから行おうとする行動が含まれる。
【００２６】
表示制御部１６は、情報端末装置３の表示部３１に表示させる画面（コンテンツ）に係る情報を作成する。表示制御部１６は、作成した情報をネットワーク４を介して情報端末装置３に出力し、作成した情報を情報端末装置３の表示部３１に表示させる。
【００２７】
機器制御部１７は、需要家施設７に設けられた機器４０を制御するための情報を出力する。例えば、機器制御部１７は、シーン（住人の行動）に応じた制御内容の実行の指示（実行指示）が入力部１４で受け付けられると、制御内容に基づいて制御するための情報を制御対象である１つ以上の機器４０に、コントローラ２を介して出力する。すなわち、機器制御部１７の機能として、直接機器４０を制御する場合に限らず、間接的に機器４０を制御するための情報を出力する場合も含んでいる。ここで、コントローラ２は、ＨＥＭＳ（home energy management system）のコントローラであり、さらに、複数の機器４０と通信可能である。
【００２８】
通信部１３は、ネットワーク４に接続されることで、サーバ装置１と情報端末装置３との間、及びサーバ装置１とコントローラ２との間の通信を可能にする。なお、通信部１３は、公衆無線ＬＡＮ（Local Area Network）を介してネットワーク４に接続されてもよい。
【００２９】
（２．２）表示システム
先ず、表示システム３０の構成について説明する。
【００３０】
表示システム３０は、上述したように情報端末装置３にて構成されている。情報端末装置３は、サーバ装置１にネットワーク４を介して接続される。
【００３１】
情報端末装置３は、一例として表示部３１を備えるスマートフォンである。情報端末装置３は、図３に示すように、表示部３１と、処理部３２と、通信部３３と、入力部３４と、記憶部３５とを備える。情報端末装置３は、ＣＰＵ及びメモリを有する組み込みのコンピュータを備えている。ＣＰＵがメモリに格納されているプログラムを実行することによって、情報端末装置３の種々の機能（例えば処理部３２の機能等）が実現される。プログラムは、コンピュータのメモリにあらかじめ記録されているが、インターネット等の電気通信回線を通じて提供されてもよいし、メモリカード等の記録媒体に記録されて提供されてもよい。
【００３２】
表示部３１は、例えば液晶ディスプレイや有機ＥＬ（electroluminescence）ディスプレイのような薄型のディスプレイ装置である。
【００３３】
処理部３２は、サーバ装置１から受け取った画面（コンテンツ）に係る情報に基づく画面を、表示部３１に表示させる。
【００３４】
通信部３３は、ネットワーク４に接続されることで、情報端末装置３とサーバ装置１との間の通信を可能にする。ここでは、情報端末装置３はスマートフォンであるから、通信部３３は、通信事業者が提供する携帯電話網（キャリア網）を介して、例えばインターネットからなるネットワーク４に接続される。携帯電話網には、例えば３Ｇ（第３世代）回線、ＬＴＥ（Long Term Evolution）回線等がある。なお、通信部１３は、公衆無線ＬＡＮ（Local Area Network）を介してネットワーク４に接続されてもよい。
【００３５】
入力部３４は、情報端末装置３の利用者（住人等）の操作を受け付ける機能を有している。本実施形態では、情報端末装置３がタッチパネルディスプレイを搭載しており、タッチパネルディスプレイが表示部３１及び入力部３４として機能する。そのため、以下の説明では、表示部３１に表示される画面上のボタンに対する種々のタッチ操作を、「タップ」等と表現する。ただし、入力部３４は、タッチパネルディスプレイに限らず、例えばキーボードやポインティングデバイス、メカニカルなスイッチ等であってもよい。
【００３６】
記憶部３５は、例えばフラッシュメモリなどの電気的に書換可能な不揮発性の半導体メモリで構成される。
【００３７】
なお、図２に示す情報端末装置３Ａは、情報端末装置３と通信部３３の構成が異なるが、情報端末装置３と同様の機能を有していればよく、情報端末装置３Ａの説明は省略する。
【００３８】
また、図２に示す情報端末装置６は、ＨＥＭＳ専用のモニタ装置である。情報端末装置６は、ＣＰＵ及びメモリを有するコンピュータを主構成としている。情報端末装置６のＣＰＵがメモリに格納されているプログラムを実行することによって、情報端末装置６の種々の機能が実現される。プログラムは、ここではインターネットなどの電気通信回線を通じて、あるいはメモリカードなどの記録媒体に記録されて提供されるが、コンピュータのメモリに予め記録されていてもよい。情報端末装置６は、情報端末装置３と通信部３３の構成が異なるが、情報端末装置３と同様の機能を有していればよい。そのため、情報端末装置６の説明は省略する。以下、情報端末装置６を専用端末装置６ともいう。
【００３９】
（２．３）コントローラ
コントローラ２は、サーバ装置１からの指示によりシーン（住人の行動）に応じて１つ以上の機器４０を制御する。
【００４０】
コントローラ２は、図４に示すように、処理部２１と、記憶部２２、第１通信部２３と、第２通信部２４とを備える。コントローラ２は、ＣＰＵ（Central Processing Unit）及びメモリを有している。ＣＰＵがメモリに格納されているプログラムを実行することにより、処理部２１の機能を実現する。プログラムは、ここではインターネットなどの電気通信回線を通じて、あるいはメモリカードなどの記録媒体に記録されて提供されるが、コンピュータのメモリに予め記録されていてもよい。
【００４１】
処理部２１は、サーバ装置１からの指示に従って、複数の機器４０のうち１つ以上の機器４０を制御する。
【００４２】
記憶部２２は、ＲＯＭ（Read Only Memory）、ＲＡＭ（Random Access Memory）、またはＥＥＰＲＯＭ（Electrically Erasable Programmable Read Only Memory）等から選択されるデバイスで構成される。
【００４３】
第１通信部２３は、複数の機器４０と無線で通信を行うための通信インタフェースである。第１通信部２３は、例えば、無線局の免許が不要な小電力無線の通信インタフェースである。この種の小電力無線については、用途等に応じて使用する周波数帯域や空中線電力等の仕様が各国で規定されている。日本国においては、９２０ＭＨｚ帯または４２０ＭＨｚ帯の電波を使用する小電力無線（特定小電力無線）が規定されている。なお、通信方法は、無線に限らず有線による通信であってもよい。
【００４４】
第２通信部２４は、例えばイーサネット（登録商標）規格に準拠した通信インタフェースである。第２通信部２４は、ルータ５を介して情報端末装置６と通信可能である。ルータ５は、ブロードバンドルータであり、例えばＷｉ−Ｆｉ（登録商標）規格に準拠した無線ＬＡＮ（Local Area Network）のインタフェースも備えている。したがって、コントローラ２は、ルータ５を介して、無線ＬＡＮの通信インタフェースを備えるスマートフォン等の情報端末装置３Ａと通信可能である。また、コントローラ２は、ルータ５及びネットワーク４を介してスマートフォン等の情報端末装置３、及びサーバ装置１と通信可能である。
【００４５】
（３）処理及び画面
ここでは、機器制御システム１０（サーバ装置１）を含むシステム全体の処理及び情報端末装置３に表示される画面について説明する。
【００４６】
（３．１）基本動作及びこれに係る画面
ここでは、機器制御システム１０（サーバ装置１）を含むシステム全体の基本的な処理の流れを図５に示すシーケンス図を用いて説明する。
【００４７】
情報端末装置３の処理部３２は、情報端末装置３の所有者の入力操作により、シーン（行動）に応じた制御情報の記憶の指示（設定要求）を、通信部３３を介してサーバ装置１に送信する（ステップＳ１）。ここで、制御情報は、シーンに応じて制御される１つ以上の機器４０に対する制御内容を含んでいる。また、設定要求には、制御情報の他、情報端末装置３の所有者のユーザＩＤ、シーンの名称等が含まれている。
【００４８】
サーバ装置１の入力部１４が通信部１３を介して設定要求を受け付けると、設定部１５は、設定処理を行う（ステップＳ２）。具体的には、設定部１５は、シーン（行動）に応じて制御される１つ以上の機器４０に対する制御内容を含む制御情報を、当該行動を表すシーン情報（シーンの名称）に対応付けて記憶部１１に記憶する。このとき、設定部１５は、設定関連情報を制御情報に付与して記憶部１１に記憶する。設定関連情報とは、制御情報が記憶部１１に記憶された（設定された）タイミングに関する時間情報、及び情報端末装置３の所有者に関する利用者情報（例えば、ユーザＩＤ）を含む情報である。時間情報は、例えば制御情報が記憶部１１に記憶された（設定された）日付及び時刻を含む情報である。なお、時間情報には、制御情報が記憶部１１に記憶された（設定された）日付及び時刻のうち少なくとも一方が含まれていればよい。
【００４９】
情報端末装置３の処理部３２は、複数のシーン情報を含むシーン一覧画面が表示部３１で表示されている状態で情報端末装置３の所有者の操作により一のシーン情報が選択されると、取得要求をサーバ装置１に送信する（ステップＳ３）。ここで、取得要求とは、選択されたシーン情報を含む情報であって、当該シーン情報に対応付けられた制御情報の送信を要求する情報である。シーン一覧画面の詳細については、後述する。
【００５０】
サーバ装置１の入力部１４は、情報端末装置３の所有者の操作結果に関する情報として選択されたシーン情報を含む要求情報を通信部１３を介して受け付ける。サーバ装置１の表示制御部１６は、入力部１４が受け付けた取得要求に含まれるシーン情報に対応する制御情報を通信部１３を介して情報端末装置３に送信する（ステップＳ４）。これにより、表示制御部１６は、情報端末装置３の表示部３１に、制御情報に含まれる制御内容を表示させることができる。
【００５１】
情報端末装置３の処理部３２は、制御内容を含む確認画面が表示部３１に表示されている状態で情報端末装置３の所有者の操作により実行指示が入力されると、制御対象の１つ以上の機器４０に対して制御内容の実行を要求する実行要求をサーバ装置１に送信する（ステップＳ５）。なお、確認画面については、後述する。
【００５２】
サーバ装置１の入力部１４は、通信部１３を介して情報端末装置３の所有者の操作結果に関する情報として実行要求を受け付ける。サーバ装置１の機器制御部１７は、入力部１４が実行要求を受け付けると、送信した制御情報に含まれる制御内容に基づいて、制御対象である１つ以上の機器４０を制御する（ステップＳ６）。機器制御部１７は、制御対象である１つ以上の機器４０に対して当該機器の制御内容に基づく制御指示を、コントローラ２に送信（出力）する。コントローラ２の処理部２１は、第２通信部２４を介して制御対象である１つ以上の機器４０ごとの制御指示を受け取る。コントローラ２の処理部２１は、第１通信部２３を介して制御対象である１つ以上の機器４０ごとに通信で制御指示を送信する。制御指示を受け取った機器４０は、受け取った制御指示に基づいた動作を行う。これにより、機器制御部１７は、制御対象の１つ以上の機器４０を制御内容に基づいて制御することができる。
【００５３】
コントローラ２は、制御対象の１つ以上の機器４０から実行結果を受け取ると、受け取った実行結果をサーバ装置１へ送信する。サーバ装置１の表示制御部１６は、コントローラ２から実行結果を受け取ると、実行結果に関する情報（結果通知）を、通信部１３を介して情報端末装置３へ送信する（ステップＳ７）。情報端末装置３の表示部３１は、結果通知で表される情報を表示する。
【００５４】
以下、上述した基本動作において情報端末装置３の表示部３１で表示させる各画面について、図６〜図１０Ｃを用いて説明する。図６〜図１０Ｃの画面において、参照符号と、領域を囲む一点鎖線とは、説明のために記載しているのみであり、実際の画面には表示されない。
【００５５】
図６は、設定部１５が制御内容を含む制御情報を記憶部１１に記憶（設定）する場合に情報端末装置３で表示される設定画面１００を示す。設定画面１００は、タイトル領域１０１、日付表示領域１０２、設定項目表示領域１０３及びボタン１０４が設けられている。なお、図６に示す設定画面１００の表示レイアウトは一例であり、設定画面１００の表示レイアウトは設定画面１００を表示する表示部のサイズに応じて変更されてもよい。
【００５６】
タイトル領域１０１では、表示される画面の名称、ここでは“シーン設定”が表示される。日付表示領域１０２では、現在の日時が表示される。
【００５７】
設定項目表示領域１０３では、設定に必要な複数の項目及び複数の項目に対応する複数のボタン１０５〜１０８が表示される。ここで、設定に必要な複数の項目として、シーンの名称、制御対象の機器及びその制御内容がある。
【００５８】
ボタン１０５がタップされると、シーンの名称（行動を区別するための名称）を設定または変更するための画面に遷移する。情報端末装置３の所有者は入力操作により、遷移された画面で名称を入力する。名称が決定されると、所有者の入力操作により設定画面１００へ遷移する。例えば、名称は“未設定”から決定された名称に変更されて表示されている。なお、画面遷移の制御は、表示制御部１６で行われる。
【００５９】
ボタン１０６〜１０８のいずれかがタップされると、機器４０の設定を行うための機器設定画面１５０に遷移する。機器設定画面１５０の詳細については、後述する。なお、画面遷移の制御は、表示制御部１６で行われる。
【００６０】
ボタン１０４は、設定画面１００で設定された制御内容を含む制御情報をサーバ装置１へ送信するためのボタンである。ボタン１０４がタップされると、処理部３２は、制御内容、情報端末装置３の所有者の情報（ユーザＩＤ等）、現在の日時を含む制御情報と、シーンの名称とを含む情報を設定要求として通信部３３を介してサーバ装置１へ送信する。サーバ装置１の設定部１５は、受信した制御情報に、シーン情報（シーンの名称）を対応付けて記憶部１１に記憶する。
【００６１】
次に、機器設定画面１５０について説明する。機器設定画面１５０には、図７に示すように、タイトル領域１５１、日付表示領域１５２、機器種別表示領域１５３、対象機器選択領域１５４及びボタン１５５が設けられている。なお、図７に示す機器設定画面１５０の表示レイアウトは一例であり、機器設定画面１５０の表示レイアウトは機器設定画面１５０を表示する表示部のサイズに応じて変更されてもよい。
【００６２】
タイトル領域１５１では、表示される画面の名称、ここでは“機器設定”が表示される。日付表示領域１５２では、現在の日時が表示される。
【００６３】
機器種別表示領域１５３には、制御対象として選択可能な機器の種類が表示される。例えば、機器種別表示領域１５３には、「エアコン」、「照明」、「空気清浄機」、「シャッター」、「サッシ」、「給湯機」、「換気扇」に対応するボタンが表示される。
【００６４】
対象機器選択領域１５４は、例えば、機器種別表示領域１５３において選択された機器の種類に属する機器を表示する。図７では、機器種別表示領域１５３において「エアコン」が選択されている。対象機器選択領域１５４では、「エアコン」に属する機器（例えば、「エアコンＡ」、「エアコンＢ」、「エアコンＣ」、「エアコンＤ」、「エアコンＥ」）を選択するためのボタンが表示されている。さらに、対象機器選択領域１５４では、需要家施設7内にある「エアコン」に属する機器を一括して選択するためのボタン（「全てのエアコン」）が表示されている。
【００６５】
ボタン１５５は、後述する制御設定画面２００を表示するためのボタンである。ボタン１５５がタップされると、画面は制御設定画面２００に遷移する。制御設定画面２００は、機器設定画面１５０で選択された機器４０の制御内容を設定するための画面である。なお、画面遷移の制御は、表示制御部１６で行われる。
【００６６】
なお、図６に示す設定画面、及び図７に示す機器設定画面１５０を用いて機器４０を設定する場合、既に設定がされている機器４０以外の機器４０が設定対象の候補として表示されることが好ましい。例えば、図６において、エアコンＡが既に設定対象の機器４０として設定されている。この場合、図７においては、エアコンＡは、機器設定画面１５０で表示されない。これにより、同一機器に対して設定の重複を防ぐことができる。
【００６７】
次に、制御設定画面２００について説明する。制御設定画面２００には、図８に示すように、タイトル領域２０１、日付表示領域２０２、制御表示領域２０３及びボタン２０４，２０５が設けられている。なお、図８に示す制御設定画面２００の表示レイアウトは一例であり、制御設定画面２００の表示レイアウトは制御設定画面２００を表示する表示部のサイズに応じて変更されてもよい。
【００６８】
タイトル領域２０１では、表示される画面の名称、ここでは“機器設定”が表示される。日付表示領域２０２では、現在の日時が表示される。
【００６９】
制御表示領域２０３には、設定対象の機器４０に対して、オン状態及びオフ状態のいずれを設定するためのボタン２０６が表示される。ボタン２０６がタップされると、機器４０のオンオフを設定する画面に遷移し、遷移した画面にて制御実行時にオン状態とするのか、オフ状態とするのかを設定する。なお、機器４０のオンオフを設定する画面に遷移することなく、ボタン２０６をタップする度に、オン状態とオフ状態とが切り替わる構成であってもよい。
【００７０】
さらに、制御表示領域２０３には、設定対象の機器４０に対する詳細な制御を設定するためのボタンが表示される。例えば設定対象がエアコン４１である場合には、運転モードを変更するためのボタン２０７、設定温度を変更するためのボタン２０８、風量を変更するためのボタン２０９及び風向を変更するためのボタン２１０が表示されている。情報端末装置３の所有者がこれらのボタンをタップして、タップしたボタンに応じた画面に遷移させて、情報端末装置３の所有者は詳細な制御の設定を行う。例えば、ボタン２０７がタップされると、運転モードを変更する画面に遷移し、遷移した画面にて運転モードとして、自動、暖房及び冷房のうちいずれかを設定する。
【００７１】
ボタン２０４は、図７に示す機器設定画面１５０に遷移するためのボタンである。ボタン２０５は、各画面で設定された内容（シーンの名称、選択された機器４０の名称、制御内容）を一時的に保持した状態で、設定画面１００に遷移するためのボタンである。ボタン２０５がタップされると、各画面で設定された内容を含む設定画面１００が表示される。その後、上述したボタン１０４がタップされると、機器設定画面１５０及び制御設定画面２００を用いて制御対象の機器４０ごとに設定された内容（制御内容）が含まれる制御情報を含む設定要求がサーバ装置１に送信される。
【００７２】
次に、上述したシーン一覧画面について説明する。
【００７３】
シーン一覧画面２５０には、図９Ａに示すように、情報端末装置３の所有者の行動を表すシーン情報を選択するためのボタンが含まれる。例えば、シーン一覧画面２５０では、“外出”を選択するためのボタン２５１、“起床”を選択するためのボタン２５２、“帰宅”を選択するためのボタン２５３及び“就寝”を選択するボタン２５４が表示される。シーン一覧画面２５０では、新たなシーン（行動）に応じた制御情報を設定するためのボタン２５５が表示される。ボタン２５５がタップされた場合には、上述した設定画面１００に遷移する。ボタン２５１〜２５４のいずれかがタップされると、タップされたボタンに対応する行動（シーン）に応じた１つ以上の機器の制御内容、設定関連情報、及び制御対象である機器４０の現在の状態を表示する確認画面３００へ遷移する。なお、シーン一覧画面２５０から他の画面へ遷移する制御は、表示制御部１６で行われる。なお、図９Ａに示すシーン一覧画面２５０の表示レイアウトは一例であり、シーン一覧画面２５０の表示レイアウトはシーン一覧画面２５０を表示する表示部のサイズに応じて変更されてもよい。
【００７４】
例えば、ボタン２５３が選択される（タップされる）と、帰宅を表すシーン情報を含む取得要求がサーバ装置１に送信される。サーバ装置１の表示制御部１６は、帰宅に応じて制御される１つ以上の機器４０の制御内容、設定関連情報、及び制御対象である機器４０の現在の状態を表示する確認画面３００を、表示部３１に表示させる。
【００７５】
次に、確認画面３００について、図９Ｂを用いて説明する。確認画面３００は、制御内容に係る情報を表示する第１表示領域３０１と、制御対象機器の現在の状態に係る情報を表示する第２表示領域３０２と、ボタン３０３〜３０５が設けられている。なお、図９Ｂに示す確認画面３００の表示レイアウトは一例であり、確認画面３００の表示レイアウトは確認画面３００を表示する表示部のサイズに応じて変更されてもよい。
【００７６】
第１表示領域３０１には、領域３０６と、領域３０７とが設けられている。領域３０６では、シーン一覧画面２５０でタップされたボタンに対応する行動に応じた制御情報に含まれる制御内容が表示される。具体的には、制御対象の機器４０と、当該機器４０の制御の詳細とが表示される。例えば、制御対象の機器４０がエアコン４１である場合には、制御の詳細として制御実行時の状態（図９Ｂではオン状態）及び運転モード（図９Ｂでは暖房）が表示される。また、制御対象の機器４０が照明装置４２である場合には、制御の詳細として制御実行時の状態（図９Ｂではオン状態）が表示される。制御対象の機器４０が給湯機４６である場合には、制御の詳細として運転モード（自動運転モードや沸き増しモード）が表示される。なお、制御対象の機器４０がエアコン４１である場合において、制御実行時の状態は、エアコン４１のオン、オフ状態の他、設定された温度、設定された風量及び設定された風向きのうち少なくとも１つを含んでもよい。
【００７７】
領域３０７では、領域３０６で表示されている制御情報に対する設定関連情報が表示される。図９Ｂでは、設定関連情報として時間情報及び利用者情報が表示されている。具体的には、利用者情報（ユーザＩＤ）として“Ｂ１”が、時間情報として日付“２０１６年６月２０日”が表示されている。
【００７８】
第２表示領域３０２には、領域３０８と領域３０９とが設けられている。領域３０８では制御対象である機器４０の現在の状態が表示され、領域３０９では制御対象機器の現在の状態を取得した日時が表示される。例えば、コントローラ２は、制御対象の機器４０と通信を行い、制御対象の機器４０の現在の状態に関する情報（状態情報）を取得する。コントローラ２は、取得した状態情報をサーバ装置１に送信する。サーバ装置１は、制御対象の機器４０の現在の状態をコントローラ２から取得する。これにより、サーバ装置１は、制御対象の機器４０の現在の状態を表示部３１に表示させることができる。現在の状態として、例えば、制御対象の機器４０がエアコン４１である場合には、図９Ｂではオフ状態が表示される。制御対象の機器４０が照明装置４２である場合には、図９Ｂではオフ状態が表示される。制御対象の機器４０が給湯機４６である場合には、現在の状態として、運転モード（自動運転モードや沸き増しモード）が表示される。なお、制御対象の機器４０がエアコン４１である場合において、現在の状態は、制御実行時の状態と同様に、エアコン４１のオン、オフ状態の他、設定された温度、設定された風量及び設定された風向きのうち少なくとも１つを含んでもよい。なお、制御対象の機器４０の状態の取得のタイミングは、確認画面３００が表示されるタイミングに限定されない。制御対象の機器４０の状態の取得のタイミングは、確認画面３００が表示されるタイミングより前であってもよい。
【００７９】
以上のように、タップされたボタンに対応する行動（シーン）に応じた１つ以上の機器の制御内容、設定関連情報、及び制御対象である機器４０の現在の状態を一画面に表示する確認画面３００により、現在の状態から、制御を実行した場合の変化をユーザに認識させることができる。
【００８０】
また、第１表示領域３０１の領域３０６に表示される制御内容は、第２表示領域３０２の領域３０８に表示される現在の状態に対して変化がある内容について、変化が無い内容とは異なる態様で表示させてもよい。異なる態様とは、例えば、異なる文字の色や太さ、フォント等である。また、第２表示領域３０２の領域３０８に表示される現在の状態も同様に、第１表示領域３０１の領域３０６に表示される制御内容と異なる内容について、同じ内容とは異なる態様で表示させてもよい。例えば、図９Ｂにおいて、照明装置４２について領域３０６に表示される制御内容と領域３０８に表示される制御内容とは異なっている。一方、エアコン４１について領域３０６に表示される制御内容としての運転モードと領域３０８に表示される制御内容としての運転モードとは、“暖房”で同一である。そこで、照明装置４２について領域３０６で表示される制御内容と、エアコン４１について領域３０６で表示される制御内容としての運転モードとは、異なる態様で表示される。同様に、照明装置４２について領域３０８で表示される制御内容と、エアコン４１について領域３０８で表示される制御内容としての運転モードとは、異なる態様で表示される。これにより、現在の状態から制御を実行した場合の変化を、よりわかりやすくユーザに認識させることができる。
【００８１】
ボタン３０３は、制御対象の１つ以上の機器４０に対して制御内容の実行をサーバ装置１に要求するためのボタンである。ボタン３０３がタップされると、上述した実行要求が情報端末装置３の所有者の操作結果に関する情報としてサーバ装置１に送信される。
【００８２】
ボタン３０４は、図９Ａに示すシーン一覧画面２５０に遷移するためのボタンである。ボタン３０５は、制御内容を含む制御情報を変更するためのボタンである。ボタン３０５がタップされると、例えば上述した設定画面１００に遷移する。なお、確認画面３００では、少なくとも制御内容が表示されていればよい。また、確認画面３００から他の画面へ遷移する制御は、表示制御部１６で行われる。
【００８３】
次に、結果通知に基づいて表示される画面（結果画面３５０）について、図１０Ａ〜図１０Ｃを用いて説明する。
【００８４】
図１０Ａは、制御対象のエアコン４１の制御に失敗した場合、つまり機器４０（エアコン４１）の制御に関するエラーが発生した場合のエラー通知を表示する結果画面３５０の一例である。結果画面３５０では、通知領域３５１とボタン３５２とが設けられている。図１０Ａでは、通知領域３５１に、エアコン４１の制御に失敗した旨のメッセージと、情報端末装置３の所有者にエアコン４１の動作等の確認を促すメッセージとを含む通知メッセージ３５３が表示されている。ボタン３５２は、表示を終了するためのボタンである。
【００８５】
図１０Ｂ，１０Ｃは、エアコン４１の制御に失敗した場合に、図１０Ａで示す通知メッセージとは異なる通知メッセージを表示する結果画面３５０の一例である。図１０Ｂ，１０Ｃでは、通知領域３５１に、エアコン４１の制御に失敗した旨のメッセージと、失敗したと判断した理由を含む通知メッセージ３５４，３５５が表示されている。通知メッセージ３５４は、エアコン４１が応答しないため制御に失敗したと判断した旨のメッセージである。通知メッセージ３５５は、制御を中継するコントローラ２が応答しないため制御に失敗したと判断した旨のメッセージである。
【００８６】
なお、ここでは、結果通知に基づいて表示される画面として、制御に失敗した場合の画面の一例を図１０Ａ〜図１０Ｃに示した。結果通知に基づいて表示される画面として、制御対象である１つ以上の機器４０の一覧表を表示してもよい。この場合、表示されている１つ以上の機器４０から少なくとも１つの機器４０が選択可能である。情報端末装置３で少なくとも１つの機器４０が選択される（タップされる）と、サーバ装置１の処理部１２は、選択された機器４０に対応する実行結果を表示部３１に表示させる。
【００８７】
なお、図１０Ａ〜１０Ｃに示す結果画面３５０の表示レイアウトは一例であり、結果画面３５０の表示レイアウトは結果画面３５０を表示する表示部のサイズに応じて変更されてもよい。また、制御対象の機器４０の制御が成功した場合に、表示制御部１６は、制御が成功した旨のメッセージを表示部３１に表示させてもよい。
【００８８】
（３．２）制御情報の変更に係る動作及び画面
本実施形態において、サーバ装置１で記憶している制御情報は、情報端末装置３の所有者の指示によって変更可能である。
【００８９】
例えば、サーバ装置１の表示制御部１６は、情報端末装置３から既存の制御情報の変更要求を入力部１４が受け付けると、変更対象の制御情報に対応付けられたシーン情報の名称及び制御内容を含む設定画面１００を、表示部３１に表示させる。これにより、情報端末装置３の所有者（需要家施設７の利用者）は、新たな機器４０の設定（追加）、及び設定済の機器４０に対する制御内容の変更を行うことができる。
【００９０】
また、制御情報の記憶（設定）、変更は、情報端末装置３から行うとしているが、他の情報端末装置（例えば、情報端末装置３Ａ）からも可能である。そこで、情報端末装置３で制御情報が記憶された後、情報端末装置３Ａで当該制御情報の変更が行われる場合の動作について、図１１に示すシーケンス図を用いて説明する。
【００９１】
情報端末装置３の処理部３２は、情報端末装置３の所有者の入力操作により、シーン（行動）に応じた制御情報を含む設定要求を、通信部３３を介してサーバ装置１に送信する（ステップＳ１０）。
【００９２】
サーバ装置１の入力部１４が通信部１３を介して設定要求を受け付けると、設定部１５は、設定処理を行う（ステップＳ１１）。設定処理については、図５のステップＳ２で行われる処理と同一であるので、ここでの説明は省略する。
【００９３】
情報端末装置３Ａの処理部３２は、情報端末装置３Ａの所有者の入力操作により、上記と同一のシーン（行動）に応じた制御情報を含む設定要求を、通信部３３を介してサーバ装置１に送信する（ステップＳ１２）。
【００９４】
サーバ装置１の入力部１４が通信部１３を介して設定要求を受け付けると、設定部１５は、設定処理を行う（ステップＳ１３）。設定部１５は、制御情報をシーン情報に対応付ける前に、同一のシーン情報が他の情報端末装置（ここでは、情報端末装置３）から送信された制御情報と既に対応付けられているか否かを判断する。同一のシーン情報が他の情報端末装置からの制御情報と対応付けられていると判断する場合には、既に記憶されている制御情報を、情報端末装置３Ａから受け取った制御情報に変更する。サーバ装置１の表示制御部１６は、制御情報に変更があったことを表す設定変更通知を、通信部１３を介して情報端末装置３へ送信する（ステップＳ１４）。サーバ装置１の表示制御部１６は、設定変更通知を情報端末装置３へ送信することで、制御情報に変更があった旨のメッセージを含む変更確認画面４００を、情報端末装置３の表示部３１に表示させる。なお、設定変更通知は、設定変更を行った情報端末装置３Ａにも送信してもよい。この場合、情報端末装置３Ａの所有者は、変更が確実に行われたことを知ることができる。
【００９５】
ここで、変更確認画面４００について、図１２Ａを用いて説明する。
【００９６】
変更確認画面４００には、領域４０１，４０２と、ボタン４０３とが設けられている。
【００９７】
領域４０１には、制御情報が変更された旨のメッセージが表示される。例えば、制御情報を変更した他の情報端末装置（ここでは、情報端末装置３Ａ）の所有者の利用者情報（ユーザＩＤ）、及び変更された制御情報に対応付けられたシーン情報に係る行動の名称（例えば、「外出」）を含むメッセージが表示される。
【００９８】
領域４０２には、変更後の制御情報に含まれる制御内容が表示される。ボタン４０３は、表示を終了するためのボタンである。
【００９９】
なお、変更確認画面４００の表示レイアウトは、変更確認画面４００を表示する表示部のサイズに応じて変更されてもよい。また、変更確認画面４００は、制御情報が変更された旨のメッセージのみを表示してもよい。つまり、変更後の制御内容の表示は必須ではない。変更後の制御内容が変更確認画面４００に含まれる場合には、変更された旨のメッセージのみを表示する場合と比べて、情報端末装置３の所有者は、変更後の制御内容を把握することができ、利便性が高いという利点がある。
【０１００】
制御情報の更新は、情報端末装置の所有者により更新される場合だけでなく、自動で更新してもよい。例えば、設定部１５は、需要家施設７に設けられる機器４０の台数に変化が生じた場合、記憶部１１に記憶されている制御情報に含まれる制御内容を機器４０の台数の変化に応じて変更してもよい。この場合、コントローラ２は、複数の機器４０と定期的に通信を行い、その結果をサーバ装置１へ送信する。サーバ装置１の設定部１５は、所定期間以上応答がない機器４０が存在する場合には、応答がない当該機器４０は、需要家施設７から撤去されたと判断し、制御情報に含まれる制御対象から除外する。また、コントローラ２は、新たな機器４０と通信が可能となった場合には、新たに通信が可能となった機器４０の情報(種別等)をサーバ装置１に送信する。サーバ装置１の設定部１５は、新たに通信が可能となった機器４０と、制御内容において一括制御が指定された機器４０（まとめて同じ制御が指定された機器）とが同一種類である場合には、新たに通信が可能となった機器４０を一括制御の対象として追加する。これにより、需要家施設７に設けられる機器４０の台数に変化が生じた場合、記憶部１１に記憶されている制御情報に含まれる制御内容を機器４０の台数の変化に応じて変更することができる。また、需要家施設７の設けられている機器４０の構成が変化した場合に、制御情報は更新されてもよい。例えば、需要家施設７に設けられていたエアコンが撤去され、代わりに空気清浄機が設置された場合が考えられる。この場合、サーバ装置１の設定部１５は、撤去されたエアコンを制御対象として含む制御情報に、エアコンの代わりに新たに設置された空気清浄機を制御対象として含めてもよい。
【０１０１】
また、設定部１５は、需要家施設７に設けられる機器４０の台数または構成の変化に応じて、制御情報に含まれる制御内容を変更する場合、情報端末装置３の所有者に変更の許否を問い合わせてもよい。この場合、表示制御部１６は、制御情報の変更の許否を問い合わせる問い合わせ画面４１０を、表示部３１に表示させる。問い合わせ画面４１０には、図１２Ｂに示すように、領域４１１とボタン４１２とが設けられている。領域４１１には、問い合わせメッセージが表示される。図１２Ｂでは、エアコン４１が削除されたため、制御情報から削除するか否かを問い合わせる旨のメッセージが表示されている。
【０１０２】
（３．３）専用端末装置の動作
専用端末装置６は、情報端末装置３と同様に、制御情報の設定及び変更の要求、制御の実行要求が可能である。
【０１０３】
専用端末装置６からサーバ装置１に制御情報の設定の要求を行った場合、情報端末装置３の設定要求とは関係なく制御情報が生成される。つまり、専用端末装置６から送信された制御情報と、情報端末装置３から送信された制御情報とに、同一のシーン情報を対応付けることができる。これにより、サーバ装置１は、同一行動であっても専用端末装置６からの設定内容と、情報端末装置３からの設定内容とを異ならせて記憶することができる。したがって、専用端末装置６からの実行要求と、情報端末装置３からの実行要求とで、異なる制御を実行することが可能となる。
【０１０４】
なお、上述したように、情報端末装置３と情報端末装置３Ａとでは、同一の行動であっても異なる制御情報を設定することはできない。
【０１０５】
（４）変形例
以下に、上記実施形態の変形例について説明する。なお、以下に説明する変形例は、上記実施形態と適宜組み合わせて適用可能である。
【０１０６】
（４．１）変形例１
上記実施形態では、行動に応じた制御を行う際に、情報端末装置３は、当該行動に対応付けられた制御情報をサーバ装置１から取得する構成としたが、この構成に限定されない。情報端末装置３は、設定要求を行う際に、制御情報を記憶部３５に記憶しておき、行動に応じた制御を行うときには記憶部３５で記憶している制御情報に基づいて実行要求を行ってもよい。
【０１０７】
なお。本変形例では、上記実施形態と同様に、情報端末装置３と情報端末装置３Ａとでは、同一の行動であっても異なる制御情報を設定することはできないことを前提とする。つまり、複数の情報端末装置３，３Ａで１つの制御情報を共有する。
【０１０８】
制御情報の設定、変更は、情報端末装置３Ａからも可能である。そのため、情報端末装置３が設定要求を行った後、実行要求を行うまでの間に、情報端末装置３Ａで制御情報が変更される可能性がある。そこで、情報端末装置３Ａで制御情報が変更された後、情報端末装置３が実行要求を行った場合の動作について、図１３に示すシーケンス図を用いて説明する。
【０１０９】
情報端末装置３の処理部３２は、情報端末装置３の所有者の入力操作により、シーン（行動）に応じた制御情報を含む設定要求を、通信部３３を介してサーバ装置１に送信する（ステップＳ２０）。
【０１１０】
情報端末装置３の処理部３２は、サーバ装置１に送信した送信情報と同一内容の制御情報を情報端末装置３の記憶部３５に格納する（ステップＳ２１）。
【０１１１】
サーバ装置１の入力部１４が通信部１３を介して設定要求を受け付けると、設定部１５は、設定処理を行う（ステップＳ２２）。設定処理については、図５のステップＳ２で行われる処理と同一であるので、ここでの説明は省略する。
【０１１２】
情報端末装置３Ａの処理部３２は、情報端末装置３Ａの所有者の入力操作により、上記と同一のシーンに応じた制御情報を含む設定要求を、通信部３３を介してサーバ装置１に送信する（ステップＳ２３）。
【０１１３】
情報端末装置３Ａの処理部３２は、サーバ装置１に送信した送信情報と同一内容の制御情報を情報端末装置３Ａの記憶部３５に格納する（ステップＳ２４）。
【０１１４】
サーバ装置１の入力部１４が通信部１３を介して設定要求を受け付けると、設定部１５は、設定処理を行う（ステップＳ２５）。設定処理については、図５のステップＳ２で行われる処理と同一であるので、ここでの説明は省略する。これにより、ステップＳ２２で設定された制御情報は、ステップＳ２５により新たな制御情報に更新される。
【０１１５】
サーバ装置１にて制御情報が更新された後、情報端末装置３の処理部３２は、自機の記憶部３５で記憶している制御情報に基づいて実行要求をサーバ装置１に送信する（ステップＳ２６）。
【０１１６】
記憶部１１で記憶している制御情報の内容と入力部１４で受け付けた情報端末装置３からの制御情報の内容とは異なっている。したがって、サーバ装置１の表示制御部１６は、制御情報が変更されていることを表すエラー通知を通信部１３を介して情報端末装置３に送信する（ステップＳ２７）。これにより、表示制御部１６は、例えば、制御情報が変更されているメッセージを、情報端末装置３の表示部３１に表示させることができる。
【０１１７】
なお、表示制御部１６は、エラー通知に、変更後の制御情報を付与して、表示部３１に変更後の制御情報を表示させてもよい。このとき、変更後の制御情報を表示する画面において、実行ボタン及び変更ボタンを表示してもよい。実行ボタンとは、変更後の制御情報に含まれる制御内容に基づいて制御対象である1つ以上の機器４０の制御を実行することを要求するためのボタンである。変更ボタンとは、変更後の制御情報に対して、さらに変更を要求するためのボタンである。実行ボタンがタップされると、変更後の制御情報に含まれる制御内容に基づいて、制御対象である１つ以上の機器４０が制御される。変更ボタンがタップされると、変更対象の制御情報に対応付けられたシーン情報の名称及び制御内容を含む設定画面１００が表示部３１で表示される。
【０１１８】
なお、本変形例では、複数の情報端末装置３，３Ａで１つの制御情報を共有することを前提としている。そのため、情報端末装置３が実行要求を行うまでの間に情報端末装置３Ａで制御情報の変更がなされると、サーバ装置１は、エラー通知を行う。複数の情報端末装置３，３Ａ毎に、制御情報を有する場合には、サーバ装置１は、上記のエラー通知を行う必要はない。
【０１１９】
（４．２）変形例２
上記実施形態において、サーバ装置１の設定部１５は、制御情報を記憶部１１に記憶（設定）する際に、制御情報に、当該制御情報を識別する設定ＩＤを付与して記憶部１１に記憶してもよい。設定ＩＤは、制御情報が変更されるたびに変更される。
【０１２０】
なお、本変形例では、上記実施形態と同様に、情報端末装置３と情報端末装置３Ａとでは、同一の行動であっても異なる制御情報を設定することはできないことを前提とする。つまり、複数の情報端末装置３，３Ａで１つの制御情報を共有する。
【０１２１】
制御情報の設定、変更は、情報端末装置３Ａからも可能である。そのため、情報端末装置３が取得要求を行った後、実行要求を行うまでの間に、情報端末装置３Ａで制御情報が変更される可能性がある。そこで、情報端末装置３Ａで制御情報が変更された後、情報端末装置３が実行要求を行った場合の動作について、図１４に示すシーケンス図を用いて説明する。
【０１２２】
情報端末装置３の処理部３２は、情報端末装置３の所有者の入力操作により、シーン（行動）に応じた制御情報を含む設定要求を、通信部３３を介してサーバ装置１に送信する（ステップＳ３０）。
【０１２３】
サーバ装置１の入力部１４が通信部１３を介して設定要求を受け付けると、設定部１５は、設定処理を行う（ステップＳ３１）。設定処理については、図５のステップＳ２で行われる処理と同一であるので、ここでの説明は省略する。
【０１２４】
情報端末装置３の処理部３２は、上述したシーン一覧画面２５０が表示部３１で表示されている場合に情報端末装置３の所有者の行動に応じたシーン情報が選択されると、取得要求を通信部３３を介してサーバ装置１に送信する（ステップＳ３２）。ここで、情報端末装置３の所有者の行動には、上述したように、現在の行動及びこれから行う行動が含まれる。
【０１２５】
サーバ装置１の表示制御部１６は、入力部１４が通信部１３を介して取得要求を受け付けると、取得要求に応じた制御情報を通信部１３を介して情報端末装置３に送信する（ステップＳ３３）。このとき、表示制御部１６は、制御情報に付与されている設定ＩＤも送信する。
【０１２６】
情報端末装置３Ａの処理部３２は、情報端末装置３Ａの所有者の入力操作により、情報端末装置３の所有者が選択したシーン情報で表されるシーン（行動）に応じた制御情報を含む設定要求を、通信部３３を介してサーバ装置１に送信する（ステップＳ３４）。
【０１２７】
サーバ装置１の入力部１４が通信部１３を介して設定要求を受け付けると、設定部１５は、設定処理を行う（ステップＳ３５）。設定処理については、図５のステップＳ２で行われる処理と同一であるので、ここでの説明は省略する。これにより、ステップＳ３１で設定された制御情報は、ステップＳ３５により新たな制御情報に更新される。このとき、制御情報に付与される設定ＩＤは変更されている。
【０１２８】
情報端末装置３の処理部３２は、確認画面３００が表示部３１に表示されている場合に情報端末装置３の所有者により実行指示が入力されると、実行要求をサーバ装置１に送信する（ステップＳ３６）。このとき、処理部３２は、サーバ装置１から受け取った設定ＩＤも送信する。
【０１２９】
サーバ装置１の機器制御部１７は、ＩＤ確認処理を行う（ステップＳ３７）。具体的には、機器制御部１７は、情報端末装置３から受け取った設定ＩＤと、記憶部１１にて制御情報に対応付けて記憶している設定ＩＤとが同一であるか否かを判断する。
【０１３０】
これら設定ＩＤが同一でないと機器制御部１７で判断された場合、表示制御部１６は、制御情報が変更されていることを表すエラー通知を通信部１３を介して情報端末装置３に送信する（ステップＳ３８）。これにより、表示制御部１６は、例えば、制御情報が変更されているメッセージを、情報端末装置３の表示部３１に表示させることができる。なお、設定ＩＤが同一である場合には、図５示すステップＳ６，Ｓ７と同様の処理が行われる。
【０１３１】
なお、表示制御部１６は、エラー通知に、変更後の制御情報を付与して、表示部３１に変更後の制御情報を表示させてもよい。このとき、変形例１と同様に、変更後の制御情報を表示する画面において、実行ボタン及び変更ボタンを表示してもよい。
【０１３２】
なお、本変形例では、複数の情報端末装置３，３Ａで１つの制御情報を共有することを前提としている。そのため、情報端末装置３が実行要求を行うまでの間に情報端末装置３Ａで制御情報の変更がなされると、サーバ装置１は、エラー通知を行う。複数の情報端末装置３，３Ａ毎に、制御情報を有する場合には、サーバ装置１は、上記のエラー通知を行う必要はない。
【０１３３】
（４．３）変形例３
上記実施形態において、サーバ装置１の設定部１５は、制御情報を記憶部１１に設定、変更する際に、制御情報が設定、変更されてから所定期間を制御の実行を禁止する期間（実行禁止期間）として制御情報に対して設定してもよい。
【０１３４】
なお、本変形例では、上記実施形態と同様に、情報端末装置３と情報端末装置３Ａとでは、同一の行動であっても異なる制御情報を設定することはできないことを前提とする。つまり、複数の情報端末装置３，３Ａで１つの制御情報を共有する。
【０１３５】
制御情報の設定、変更は、情報端末装置３Ａからも可能である。そのため、情報端末装置３が取得要求を行った後、実行要求を行うまでの間に、情報端末装置３Ａで制御情報が変更される可能性がある。そこで、情報端末装置３Ａで制御情報が変更された後、情報端末装置３が実行要求を行った場合の動作について、図１５に示すシーケンス図を用いて説明する。
【０１３６】
情報端末装置３の処理部３２は、情報端末装置３の所有者の入力操作により、シーン（行動）に応じた制御情報を含む設定要求を、通信部３３を介してサーバ装置１に送信する（ステップＳ４０）。
【０１３７】
サーバ装置１の入力部１４が通信部１３を介して設定要求を受け付けると、設定部１５は、設定処理を行う（ステップＳ４１）。設定処理については、図５のステップＳ２で行われる処理と同一であるので、ここでの説明は省略する。
【０１３８】
情報端末装置３の処理部３２は、上述したシーン一覧画面２５０が表示部３１で表示されている場合に情報端末装置３の所有者により現在の行動に応じたシーン情報が選択されると、取得要求を通信部３３を介してサーバ装置１に送信する（ステップＳ４２）。
【０１３９】
サーバ装置１の表示制御部１６は、入力部１４が通信部１３を介して取得要求を受け付けると、取得要求に応じた制御情報を通信部１３を介して情報端末装置３に送信する（ステップＳ４３）。
【０１４０】
情報端末装置３Ａの処理部３２は、情報端末装置３Ａの所有者の入力操作により、情報端末装置３の所有者が選択したシーン情報で表されるシーン（行動）に応じた制御情報を含む設定要求を、通信部３３を介してサーバ装置１に送信する（ステップＳ４４）。
【０１４１】
サーバ装置１の入力部１４が通信部１３を介して設定要求を受け付けると、設定部１５は、設定処理を行う（ステップＳ４５）。設定処理については、図５のステップＳ２で行われる処理と同一であるので、ここでの説明は省略する。これにより、ステップＳ４１で設定された制御情報は、ステップＳ４５により新たな制御情報に更新される。
【０１４２】
情報端末装置３の処理部３２は、確認画面３００が表示部３１に表示されている場合に情報端末装置３の所有者により実行指示が入力されると、実行要求をサーバ装置１に送信する（ステップＳ４６）。
【０１４３】
サーバ装置１の機器制御部１７は、期間確認処理を行う（ステップＳ４７）。具体的には、機器制御部１７は、現時点が実行禁止期間内であるか否かを判断する。
【０１４４】
実行禁止期間であると機器制御部１７で判断された場合、表示制御部１６は、制御情報が変更されていることを表すエラー通知を通信部１３を介して情報端末装置３に送信する（ステップＳ４８）。これにより、表示制御部１６は、例えば、制御情報が変更されて現在実行できない期間であるメッセージを、情報端末装置３の表示部３１に表示させることができる。なお、実行禁止期間外である場合には、図５示すステップＳ６、Ｓ７と同様の処理が行われる。
【０１４５】
なお、表示制御部１６は、エラー通知に、変更後の制御情報を付与して、表示部３１に変更後の制御情報を表示させてもよい。このとき、変形例１，２と同様に、変更後の制御情報を表示する画面において、実行ボタン及び変更ボタンを表示してもよい。
【０１４６】
また、取得要求により、サーバ装置１から取得した制御情報に、当該制御情報が有効である期間（情報有効期間）を付与してもよい。制御情報をサーバ装置１から取得した情報端末装置３は、情報有効期間内に実行要求を送信が可能であり、情報有効期間外では実行要求を送信することができない。
【０１４７】
情報有効期間が付与される場合、実行禁止期間は、情報有効期間よりも長く設定されることが好ましい。なぜなら、実行禁止期間は、情報有効期間よりも短いと、実行禁止期間を経過しているが情報有効期間内となる時点が存在する。この時点で、実行要求が送信されると、サーバ装置１は、送信された制御情報と、記憶部１１で記憶している制御情報とを比較する必要がある。しかしながら、実行禁止期間が情報有効期間よりも長いと、実行禁止期間を経過しているが情報有効期間内となる時点が存在しない。そのため、サーバ装置１は、送信された制御情報と、記憶部１１で記憶している制御情報とを比較する必要はない。
【０１４８】
なお、本変形例では、複数の情報端末装置３，３Ａで１つの制御情報を共有することを前提としている。そのため、情報端末装置３が実行要求を行うまでの間に情報端末装置３Ａで制御情報の変更がなされると、サーバ装置１は、エラー通知を行う。複数の情報端末装置３，３Ａ毎に、制御情報を有する場合には、サーバ装置１は、上記のエラー通知を行う必要はない。
【０１４９】
また、実行禁止期間、情報有効期間外において、情報端末装置３Ａからの制御の実行を禁止してもよい。この場合、サーバ装置１で情報端末装置のＩＤ管理を行う必要がないので、処理を簡易化することができる。
【０１５０】
（４．４）その他の変形例
以下に、その他の変形例について列記する。なお、以下に説明する変形例は、上記実施形態及び変形例１〜３と適宜組み合わせて適用可能である。
【０１５１】
上記実施形態及び上記変形例１〜３では、一例として、シーン情報は、利用者の行動を表す情報であるとした。しかしながら、シーン情報の内容はこれに限定されない。シーン情報は、需要家施設７の防犯に関する情報であってもよい。例えば、防犯に関する情報として、“防犯設定”、“防犯解除”等の情報がある。“防犯設定”が選択されると、サーバ装置１（機器制御システム１０）は、シャッター４４及びサッシ４５を閉じる制御を行ったり、防犯センサをオン状態にする制御を行ったりする。また、“防犯解除”が選択されると、サーバ装置１は、シャッター４４及びサッシ４５を開ける制御を行ったり、防犯センサをオフ状態にする制御を行ったりする。また、シーン情報として、温度等に係る情報であってもよい。温度等に係る情報として、“暑い”、“寒い”等がある。“暑い”が選択されると、需要家施設７内のエアコンすべてに対して運転モードを“冷房”としてオン状態にする。“寒い”が選択されると、需要家施設７内のエアコンすべてに対して運転モードを“暖房”としてオン状態にする。
【０１５２】
上記実施形態及び上記変形例１〜３において、表示制御部１６は、変更後の制御情報を情報端末装置３に表示させる際に、変更前と変更後の相違部分の色を変えて表示させてもよい。
【０１５３】
上記実施形態及び上記変形例１〜３において、情報端末装置３，３Ａで一の行動に応じた制御情報の設定要求の競合があった場合、表示制御部１６は、情報端末装置３，３Ａの表示部３１に、競合が生じたことを表す警告を表示させてもよい。競合とは、所定のタイミングで、情報端末装置３Ａで同一の行動に応じた制御情報の設定要求を受け付けた場合のことである。ここで、所定のタイミングとは、サーバ装置１が設定要求の受付に係る処理を行っているタイミング、または制御情報の格納に係る処理を行っているタイミングである。
【０１５４】
上記実施形態及び上記変形例１〜３において、サーバ装置１は、設定要求を受け付けてから所定時間が経過した後、設定処理を行うとしてもよい。この場合、サーバ装置１は、情報端末装置３から一の行動に応じた設定要求を受け付けると、所定時間が経過するまでは設定処理を行わない。所定時間が経過するまでの間に、サーバ装置１は、情報端末装置３Ａから、同一の行動に応じた設定要求を受け付けると、情報端末装置３Ａの表示部３１に警告を表示させる。
【０１５５】
上記実施形態及び上記変形例１〜３において、制御内容に含まれる制御対象の機器である１つ以上の機器４０に実行待ち時間が対応付けられてもよい。実行待ち時間とは、制御内容を表示部３１で表示してから機器制御を開始するまでの時間間隔である。サーバ装置１の表示制御部１６は、通信部１３が情報端末装置３から取得要求を受信すると、取得要求に応じた制御情報の制御内容に含まれる１つ以上の機器４０の実行待ち時間に現在時刻を加算して、１つ以上の機器４０ごとの実行予定時刻を求める。表示制御部１６は、制御内容を情報端末装置３の表示部３１に表示させる際に、制御内容に含まれる１つ以上の機器に実行予定時刻を対応付けて表示部３１に表示させる。機器制御部１７は、実行要求を受け付けると、制御対象である１つ以上の機器４０について、時刻が機器４０に対応付けられた予定時刻になると、当該機器４０に対する制御内容に基づいて当該機器４０を制御する。
【０１５６】
上記実施形態及び上記変形例１〜３において、複数の機器４０が、部屋ごとに管理されている場合、制御情報は、部屋ごとに設定されてもよい。
【０１５７】
上記実施形態及び上記変形例１〜３では、情報端末装置３と情報端末装置３Ａとでは、同一の行動であっても異なる制御情報を設定することはできないと構成としたが、この構成に限定されない。情報端末装置３と情報端末装置３Ａとで、同一の行動であっても異なる制御情報を設定してもよい。これにより、需要家施設７の利用者ごとに、当該利用者の行動に応じて機器４０を制御することができる。
【０１５８】
上記実施形態において、確認画面３００の第１表示領域３０１では、利用者情報としてユーザＩＤが表示される構成としたが、この構成に限定されない。利用者情報として設定要求を送信した情報端末装置３の所有者の名前を表示してもよい。この場合、サーバ装置１がユーザＩＤと名前とを対応付けて記憶することで、実現できる。また、変更確認画面４００においても同様に、領域４０１で表示されるメッセージにおいて、当該メッセージに含まれるユーザＩＤの代わりに制御情報の設定または変更を指示した情報端末装置の所有者の名前を表示してもよい。
【０１５９】
上記実施形態及び上記変形例１〜３において、確認画面３００の第１表示領域３０１には、時間情報及び利用者情報が表示される構成としたが、この構成に限定されない。第１表示領域３０１には、時間情報及び利用者情報のうち少なくとも一方が表示されていればよい。または、双方とも表示されていなくてもよい。時間情報及び利用者情報のうち少なくとも一方が表示される構成の場合、情報端末装置３の処理部３２は、制御情報を送信する際には、時間情報及び利用者情報のうち少なくとも一方を設定関連情報として、制御情報に含めてサーバ装置１に送信する。
【０１６０】
本実施形態及び上記変形例１〜３において、情報端末装置３の所有者の行動に応じた機器４０の制御は、サーバ装置１（機器制御システム１０）の処理部１２で行われる構成としたが、この構成に限定されない。情報端末装置３の所有者の行動に応じた機器４０の制御に関する機能（処理部１２の機能）は、複数の装置（例えば、サーバ装置１、コントローラ２及び情報端末装置３のうち２以上の装置）に分散してもよい。この場合、サーバ装置１が省略されても、コントローラ２または情報端末装置３で機器４０の制御が行われ、シーン一覧画面２５０、確認画面３００等の機器制御に係る画面が作成される。さらに、処理部１２の機能は、サーバ装置１およびコントローラ２のそれぞれに設けられてもよい。この場合、機器制御に係る画面の送信先（情報端末装置３，３Ａ，６のいずれか）によって、サーバ装置１とコントローラ２とのいずれかが機器制御に係る画面を作成するかが決まってもよい。例えば、機器制御に係る画面の送信先が情報端末装置３Ａまたは情報端末装置６である場合にはコントローラ２が画面を作成し、送信先が情報端末装置３である場合にはサーバ装置１が画面を作成する。
【０１６１】
さらに、機器制御システム１０は、サーバ装置１、コントローラ２、情報端末装置３，３Ａ，６のうち少なくとも１つの装置によって構成されてもよい。機器制御システム１０の少なくとも一部の機能は、例えばクラウド（クラウドコンピューティング）によって実現されてもよい。
【０１６２】
上記実施形態において、機器４０は、ＥＣＨＯＮＥＴ  Ｌｉｔｅ（登録商標）に準拠した通信インタフェースを有しているとしたが、この構成に限定されない。機器４０は、他の規格に準拠した通信インタフェースを有して、コントローラ２と通信可能であってもよい。または、機器４０は、無線または有線によってコントローラ２と通信可能であってもよい。
【０１６３】
上記実施形態において、専用端末装置６と、情報端末装置３，３Ａとで、制御情報の設定を独立して行う構成としたが、この構成に限定されない。専用端末装置６と、情報端末装置３，３Ａとで、設定を共用してもよい。
【０１６４】
上記実施形態において、図９Ｂ、図１０Ａ〜１０Ｃ、図１２Ａ，１２Ｂでは、制御対象の機器４０として照明装置、エアコン、お風呂として記載している。しかしながら、表示内容として、例えばエアコンＡ、リビングエアコン等のように同種の機器４０のうちどの機器４０を示すかを識別するために、場所等の情報を付加して表示することが好ましい。
【０１６５】
（６）まとめ
以上説明したように、本発明に係る第１の態様の機器制御システム１０は、入力部１４と、表示制御部１６と、機器制御部１７とを備える。入力部１４は、施設（需要家施設７）の利用者の操作結果に関する情報を受け付ける。表示制御部１６は、シーン情報が表示部３１で表示されている状態で利用者の操作により選択されたシーン情報を入力部１４が受け付けると、シーン情報に対応付けられた制御情報に含まれる制御内容を、表示部３１に表示させる。機器制御部１７は、制御内容が表示部３１で表示されている状態で入力部１４が制御内容の実行を要求する情報である実行要求を受け付けると、制御内容によって制御される機器４０を、制御内容に基づいて制御する。
【０１６６】
この構成によると、シーンに応じて機器を制御するに先立って、シーンに対応付けられた制御情報に含まれる制御内容を表示部３１に表示させている。そのため、シーンに応じて機器４０を制御する際に、制御対象の機器４０に対する制御内容を施設の利用者に把握させることができる。
【０１６７】
本発明に係る第２の態様の機器制御システム１０では、第１の態様において、表示制御部１６は、機器制御部１７が制御内容に基づいて機器４０を制御した後、機器に対する制御結果に関する情報を、表示部３１に表示させる。この構成によると、施設の利用者に、シーンに応じた機器の制御に対する結果を通知することができる。
【０１６８】
本発明に係る第３の態様の機器制御システム１０では、第２の態様において、表示制御部１６は、機器制御部１７が機器４０を制御する際に機器４０の制御に関するエラーが発生すると、エラーに関する情報を制御結果に関する情報として表示部３１に表示させる。この構成によると、施設の利用者は、機器の制御においてエラーが発生したことを知ることができる。
【０１６９】
本発明に係る第４の態様の機器制御システム１０では、第１〜第３のいずれかの態様において、表示制御部１６は、制御内容を表示部３１に表示させる際に、さらに、制御内容によって制御される機器４０における現在の動作状態を表示部３１に表示させる。この構成によると、施設の利用者は、機器４０が制御される際の機器４０の現在の状態を知ることができる。
【０１７０】
本発明に係る第５の態様の機器制御システム１０では、第４の態様において、表示制御部１６は、制御内容において、現在の動作状態に対して変化を有する内容を、現在の状態に対して変化が無い内容とは異なる態様で表示部３１に表示させる。この構成によると、現在の状態から制御を実行した場合の変化を、よりわかりやすくユーザに認識させることができる。
【０１７１】
本発明に係る第６の態様の機器制御システム１０では、第１〜第５のいずれかの態様において、制御情報には、設定関連情報が含まれている。設定関連情報は、制御情報が設定される際のタイミングに関する情報（時間情報）、及び制御情報の設定を指示した利用者に関する利用者情報のうち少なくとも一方からなる情報である。表示制御部１６は、制御内容を表示部３１に表示させる際に、さらに、制御情報に含められた設定関連情報を表示部３１に表示させる。この構成によると、施設の利用者は、制御情報が記憶部１１に記憶されたタイミング及び記憶を指示した利用者のうち少なくとも一方を知ることができる。
【０１７２】
本発明に係る第７の態様の機器制御システム１０では、第１〜第６のいずれかの態様において、制御情報が変更されると、表示制御部１６は、制御情報に変更が生じたことを、情報端末装置３から利用者に通知させる。この構成によると、施設の利用者は、制御情報に含まれる制御内容に変更があったことを知ることができる。
【０１７３】
本発明に係る第８の態様の機器制御システム１０では、第７の態様において、表示制御部１６は、制御情報に変更が生じたことを、情報端末装置から利用者に通知させる際に、さらに変更内容を情報端末装置から利用者に通知させる。この構成によると、施設の利用者は、制御情報に含まれる制御内容に変更があった場合には、その変更内容を知ることができる。
【０１７４】
本発明に係る第９の態様の機器制御システム１０では、第１〜第８のいずれかの態様において、表示制御部１６は、機器４０を制御する予定時刻を、表示部にさらに表示させる。機器制御部１７は、時刻が前記予定時刻になると、制御内容に基づいて機器４０を制御する。この構成によると、制御対象の機器を予定時刻に基づいて制御することができる。
【０１７５】
本発明に係る第１０の態様の機器制御システム１０では、第１〜第９のいずれかの態様において、施設に設けられた機器４０は、複数台ある。制御内容には、複数の機器４０のうち２以上の機器に対する制御が含まれている。この構成によると、シーンに応じて複数の機器４０を制御することができる。
【０１７６】
本発明に係る第１１の態様の機器制御システム１０では、第１〜第１０のいずれかの態様において、施設に設けられた機器４０の台数に変化が生じた場合、制御情報は、機器４０の台数の変化に応じて更新される。この構成によると、施設に設けられた機器の台数に変化が生じた場合であっても、制御情報を変更することができる。
【０１７７】
本発明に係る第１２の態様の機器制御システム１０では、第１１の態様において、制御情報は、利用者が変更を許可する場合に更新される。この構成によると、施設に設けられた機器の台数に変化が生じた場合には、施設の利用者に変更の許否を問い合わせながら、制御情報を変更することができる。
【０１７８】
また、本発明に係る第１３の態様の機器制御方法は、入力ステップと、表示制御ステップと、機器制御ステップとを含む。入力ステップは、施設（需要家施設７）の利用者の操作に関する情報を受け付ける。表示制御ステップは、シーン情報が表示部３１で表示されている状態で利用者の操作により選択されたシーン情報を入力ステップが受け付けると、シーン情報に対応付けられた制御情報に含まれる制御内容を、表示部３１に表示させる。機器制御ステップは、制御内容が表示部３１で表示されている状態で入力ステップが制御内容の実行を要求する情報である実行要求を受け付けると、制御内容によって制御される機器４０を、制御内容に基づいて制御する。
【０１７９】
この機器制御方法によると、シーンに応じて機器を制御するに先立って、シーンに対応付けられた制御情報に含まれる制御内容を表示部３１に表示させている。そのため、シーンに応じて機器４０を制御する際に、制御対象の機器４０に対する制御内容を施設の利用者に把握させることができる。
【０１８０】
また、本発明に係る第１４の態様の制御プログラムは、コンピュータに、入力ステップと、表示制御ステップと、機器制御ステップとを実行させるためのプログラムである。入力ステップは、施設（需要家施設７）の利用者の操作に関する情報を受け付ける。表示制御ステップは、シーン情報が表示部３１で表示されている状態で利用者の操作により選択されたシーン情報を入力ステップが受け付けると、シーン情報に対応付けられた制御情報に含まれる制御内容を、表示部３１に表示させる。機器制御ステップは、制御内容が表示部３１で表示されている状態で入力ステップが制御内容の実行を要求する情報である実行要求を受け付けると、制御内容によって制御される機器４０を、制御内容に基づいて制御する。
【０１８１】
このプログラムによると、シーンに応じて機器を制御するに先立って、シーンに対応付けられた制御情報に含まれる制御内容を表示部３１に表示させている。そのため、シーンに応じて機器４０を制御する際に、制御対象の機器４０に対する制御内容を施設の利用者に把握させることができる。
【符号の説明】
【０１８２】
１    サーバ装置
２    コントローラ
３，３Ａ  情報端末装置
６    情報端末装置（専用端末装置）
７    需要家施設（施設）
１０    機器制御システム
１１    記憶部
１４    入力部
１５    設定部
１６    表示制御部
１７    機器制御部
４０    機器
【図１】
2018026814.tif 000003
【図２】
2018026814.tif 000004
【図３】
2018026814.tif 000005
【図４】
2018026814.tif 000006
【図５】
2018026814.tif 000007
【図６】
2018026814.tif 000008
【図７】
2018026814.tif 000009
【図８】
2018026814.tif 000010
【図９】
2018026814.tif 000011
【図１０】
2018026814.tif 000012
【図１１】
2018026814.tif 000013
【図１２】
2018026814.tif 000014
【図１３】
2018026814.tif 000015
【図１４】
2018026814.tif 000016
【図１５】
2018026814.tif 000017